(57)【特許請求の範囲】
【請求項１】
ボルト挿通孔とウェビング挿通孔を設けた金属板の前記ウェビング挿通孔の周囲を樹脂で覆ったスルーアンカであって、
前記金属板の外周部とボルト挿通孔の周囲部に、車体のセンターピラー方向に向かって突出するフランジを形成し、かつ、このフランジの少なくとも一部を、前記樹脂で覆った樹脂モールド部に対して露出させたことを特徴とするスルーアンカ。
【請求項２】
請求項１に記載のスルーアンカの前記金属板のフランジを絞り加工により形成することを特徴とするスルーアンカの製造方法。
【請求項３】
車両に乗車した乗員が使用する際には、ウェビング挿通孔に挿通されるウェビングと前記金属板との間に隙間が形成されるように、前記樹脂モールド部が形成されていることを特徴とする請求項１に記載のスルーアンカを備えたシートベルト装置。
【発明の詳細な説明】
【技術分野】
【０００１】
本発明は、乗員拘束用のウェビングの方向を変えるために車体に取り付けられるスルーアンカ、及びこのスルーアンカの製造方法、並びにこのスルーアンカを備えたシートベルト装置に関するものである。
【背景技術】
【０００２】
衝突時、乗員が座席から飛び出してフロントガラス、ハンドル、ダッシュボード等に激突しないように、車両にはシートベルト装置が設置されている。
【０００３】
このうち、例えば運転席や助手席用のシートベルト装置では、乗員を拘束するウェビングの一端側は、座席のセンターピラー側の床に取り付けられたリトラクターに固定され、巻き取りが可能なようになされている。また、他端側は、センターピラーの上部に揺動自在に取り付けられたスルーアンカを通して方向を変え、前記リトラクターの近傍に取り付けられたアンカープレートに固定されている。
【０００４】
乗員へのウェビングの装着は、アンカープレートとスルーアンカの間のウェビング中間部に移動自在に取り付けられたタングを、座席のリトラクターとは反対側側方に設置されたバックルに係合することで行う。この装着に際し、ウェビングはリトラクターから引出される。
【０００５】
このようなシートベルト装置の構成要素であるスルーアンカは、ウェビングの引き出しや巻き取りを円滑に行うために、ウェビング挿通孔に樹脂等の低摩擦材を被覆している（例えば特許文献１の段落０００３の従来技術の説明、特許文献２参照）。
【０００６】
近年の燃費向上手段の一つとして、車両の重量軽減が挙げられるが、この重量軽減は車体だけでなくあらゆる構成部品にも及び、シートベルト装置も例外ではない。
【０００７】
しかしながら、特許文献１，２に記載された従来のスルーアンカの場合、スルーアンカは一枚板の金属板により形成され、必要な強度は金属板の厚さに頼っているので、現在の強度を維持したまま今以上の軽量化を図ることが難しい。
【先行技術文献】
【特許文献】
【０００８】
【特許文献１】特開２００３−１７０８０７号公報
【特許文献２】特開２００１−１８６１号公報
【発明の概要】
【発明が解決しようとする課題】
【０００９】
本発明が解決しようとする問題点は、従来の一枚板の金属板により形成されるスルーアンカの場合、現在の強度を維持したまま今以上の軽量化を図ることが難しいという点である。
【課題を解決するための手段】
【００１０】
本発明は、前記課題を解決するためになされたものである。すなわち、本発明では、現在の強度を維持したまま、今以上の軽量化を図ることができる本体構造とすることで、前記課題を解決するものである。
【００１１】
すなわち、本発明のスルーアンカは、
ボルト挿通孔とウェビング挿通孔を設けた金属板の前記ウェビング挿通孔の周囲を樹脂で覆ったスルーアンカであって、
前記金属板の外周部とボルト挿通孔の周囲部に、車体のセンターピラー方向に向かって突出するフランジを形成し、かつ、このフランジの少なくとも一部を、前記樹脂で覆った樹脂モールド部に対して露出させたことを最も主な特徴としている。
【００１２】
本発明では、金属板の外周部とボルト挿通孔の周囲部に、車体のセンターピラー方向に向かって突出するフランジを形成したので、フランジの作用で一枚板の場合よりも薄い金属板で所定の強度を得ることと、樹脂の使用量を少なくすることができ、スルーアンカの軽量化が図れる。
【００１３】
また、本発明では、フランジの少なくとも一部は、樹脂で覆った樹脂モールド部に対して露出させているので、緊急時、ボルト挿通孔の周囲のフランジが塑性変形してジャミングの防止効果が期待できる。また、横方向から衝撃が加わって乗員の頭部がぶつかった場合も、フランジ部が塑性変形して衝撃を吸収する。
【発明の効果】
【００１４】
本発明では、金属板の外周部とボルト挿通孔の周囲部に、車体のセンターピラー方向に向かって突出するフランジを形成するので、一枚板の場合よりも薄い金属板で所定の強度を得ることができる。従って、スルーアンカの軽量化に加えて樹脂の使用量も少なくでき、更なる軽量化が図れる。
【００１５】
また、本発明では、樹脂で覆った樹脂モールド部に対してフランジの少なくとも一部が露出しているので、緊急時、ボルト挿通孔の周囲のフランジが塑性変形してジャミングに対する防止効果が期待できる。また、横方向から衝撃が加わって乗員の頭部がぶつかった場合も、フランジ部が塑性変形して衝撃を吸収するので、安全性が向上する。
【図面の簡単な説明】
【００１６】
【図１】本発明のスルーアンカを示した図で、（ａ）は正面図、（ｂ）はＡ−Ａ断面図である。
【図２】本発明のスルーアンカの正面側から見た斜視図である。
【図３】本発明のスルーアンカの他の取り付け状態を示した図１（ｂ）と同様の図である。
【図４】本発明のスルーアンカの他の例を示した図１（ｂ）と同様の図である。
【発明を実施するための形態】
【００１７】
従来の一枚板の金属板により形成されるスルーアンカの場合、現在の強度を維持したまま今以上の軽量化を図ることが難しい。
【００１８】
本発明は、金属板の外周部とボルト挿通孔の周囲部に、車体のセンターピラー方向に向かって突出するフランジを形成し、かつ、このフランジの少なくとも一部を、前記樹脂で覆った樹脂モールド部に対して露出させることで、前記の課題を解決するものである。
【実施例】
【００１９】
以下、本発明を、添付図面を用いて説明する。図１〜図３は本発明のスルーアンカを示した図である。なお、以下の説明で「上」「上側」とは車両の天井方向を指し、「下」「下側」とは車両の床方向を指す。
【００２０】
１は本発明のスルーアンカであり、例えばセンターピラー１１の上部にスルーアンカ１をボルト１２で取り付けるためのボルト挿通孔２ａを金属板２の上半部に設けている。また、金属板２の下半部にはウェビング１３を通すウェビング挿通孔２ｂを設けて、このウェビング挿通孔２ｂの周囲を樹脂で覆っている。以下、この樹脂で覆った部分を樹脂モールド部３という。
【００２１】
金属板２の上半部にボルト挿通孔２ａを、下半部にウェビング挿通孔２ｂを設ける構成は、従来のスルーアンカと同じであるが、本発明のスルーアンカ１は、前記金属板２の外周部と前記ボルト挿通孔２ａの周囲部に、車体のセンターピラー方向に向かって突出するフランジ２ｃを形成している。
【００２２】
すなわち、本発明では、金属板２の外周部とボルト挿通孔２ａの周囲部に、車体のセンターピラー方向に向かって突出するフランジ２ｃを形成することで、従来の一枚板の金属板を採用する場合に比べて、金属板２の厚みを薄くしても同等の強度を得ることができる。ちなみに、従来の一枚板の金属板の場合の厚みは、通常３．２〜３．５mmであるが、本発明の場合は２．６mm程度で従来と同等の強度を得ることができる。
【００２３】
従って、従来と同様にウェビング１３にダメージを与えることなく、かつ、緊急時にもウェビング１３を支持して乗員を保護しつつ、重量の軽減とコストダウンを図ることができる。
【００２４】
加えて、金属板２の厚みが薄くなる分、樹脂モールド部３に必要とする樹脂の使用量も少なくなるので、この分でも軽量化とコストダウンが図れる。
【００２５】
また、本発明では、前記フランジ２ｃを樹脂モールド部３に対して少なくとも一部を露出させていることも大きな特徴である。
【００２６】
このようにフランジ２ｃを樹脂モールド部３に対して露出させておくことにより、緊急時、ボルト挿通孔２ａの周囲のフランジ２ｃが塑性変形することで、ジャミングに対する防止効果が期待できる。
【００２７】
さらに、横方向から衝撃が加わって乗員の頭部がスルーアンカ１にぶつかった場合も、フランジ２ｃが塑性変形して衝撃を吸収するので、より安全性が向上する。
【００２８】
ところで、スルーアンカは、図１（ｂ）に示すように鉛直面に取り付けられる場合に限らず、図３に示すように、傾斜面に取り付けられる場合もある。
【００２９】
従って、本発明では、スルーアンカ１を何れの状態で取り付けた場合も、車両に乗車した乗員が使用する際には、ウェビング挿通孔２ｂに挿通されるウェビング１３と金属板２との間に隙間が形成されるように、前記樹脂モールド部３を形成する。この隙間は、平常使用時に形成されるように設定されていれば良く、実際の使用時などに偶発的にウェビング１３が金属板２に接触することを妨げるものではない。これが本発明のシートベルト装置である。
【００３０】
前記本発明のスルーアンカ１において、金属板２のフランジ２ｃの形成手段は、特に限定されないが、絞り加工により形成する場合は、高速度で生産することができる。
【００３１】
本発明は上記の例に限らず、各請求項に記載された技術的思想の範疇であれば、適宜実施の形態を変更しても良いことは言うまでもない。
【００３２】
すなわち以上で述べたスルーアンカ及びこのスルーアンカを備えたシートベルト装置は、本発明の好ましい例であって、これ以外の実施態様も、各種の方法で実施または遂行できる。特に本願明細書中に限定する主旨の記載がない限り、本発明は添付図面に示した詳細な部品の形状、大きさ、および構成配置等に制約されるものではない。また、本願明細書の中に用いられた表現および用語は、説明を目的としたもので、特に限定される主旨のない限り、それに限定されるものではない。
【００３３】
図１及び図２の実施例では、金属板２の外周部とボルト挿通孔２ａの周囲部にのみフランジ２ｃを形成したものを示したが、図４に示すように、ウェビング挿通孔２ｂの周囲部に小さなフランジ２ｄを形成しても良い。
【００３４】
但し、この場合は、使用時に、ウェビング１３が金属板２のどこかに接触することがない、すなわち、本シートベルト装置を車両に取り付けた初期状態で、ウェビング１３は樹脂モールド部３でのみ接触し、樹脂モールド部３のどこかで小さなフランジ２ｄが露出することがないようにしておくことは言うまでもない。この場合、実際に使用する際に偶発的にウェビング１３が金属板２に接触することを妨げるものではない。
【符号の説明】
【００３５】
１    スルーアンカ
２    金属板
２ａ    ボルト挿通孔
２ｂ    ウェビング挿通孔
２ｃ    フランジ
３    樹脂モールド部
１３    ウェビング
【図１】
0005845055.tif 000002
【図２】
0005845055.tif 000003
【図３】
0005845055.tif 000004
【図４】
0005845055.tif 000005